【手続補正書】
【提出日】平成23年12月2日(2011.12.2)
【手続補正１】
【補正対象書類名】特許請求の範囲
【補正対象項目名】全文
【補正方法】変更
【補正の内容】
【特許請求の範囲】
【請求項１】
複数視点の映像データを所定の符号化方式で符号化する符号化手段と、
前記符号化手段による符号化によって得られた基本ストリームと拡張ストリームのうちのいずれが、左画像のストリームであるのか、右画像のストリームであるのかを表す視点情報を生成する生成手段と
を備える情報処理装置。
【請求項２】
前記生成手段は、前記視点情報を含む、前記基本ストリームと前記拡張ストリームの再生を制御する再生制御情報を生成し、
前記生成手段により生成された前記再生制御情報を、前記基本ストリームおよび前記拡張ストリームとともに記録媒体に記録する記録手段をさらに備える
請求項１に記載の情報処理装置。
【請求項３】
前記符号化手段は、前記基本ストリームと前記拡張ストリームのうちの少なくともいずれかのストリームに含まれる各ピクチャに、前記視点情報を付加する
請求項１に記載の情報処理装置。
【請求項４】
前記生成手段は、前記視点情報を含む、前記基本ストリームと前記拡張ストリームの伝送の制御に用いられる伝送制御情報を生成する
請求項１に記載の情報処理装置。
【請求項５】
前記生成手段は、二次元画像の再生を制御する情報であるのか、三次元画像の再生を制御する情報であるのかを表す種別情報を生成し、二次元画像の再生を制御する情報であることを表す前記種別情報を含む、前記基本ストリームの再生を制御する第１の再生制御情報を生成し、三次元画像の再生を制御する情報であることを表す前記種別情報を含む、前記基本ストリームと前記拡張ストリームの再生を制御する第２の再生制御情報を生成する
請求項１に記載の情報処理装置。
【請求項６】
前記生成手段は、前記第２の再生制御情報の拡張用のフィールドに、前記拡張ストリームの再生に関する情報を設定する
請求項５に記載の情報処理装置。
【請求項７】
情報処理装置が、
複数視点の映像データを所定の符号化方式で符号化し、
符号化によって得られた基本ストリームと拡張ストリームのうちのいずれが、左画像のストリームであるのか、右画像のストリームであるのかを表す視点情報を生成する
ステップを含む情報処理方法。
【請求項８】
複数視点の映像データを所定の符号化方式で符号化し、
符号化によって得られた基本ストリームと拡張ストリームのうちのいずれが、左画像のストリームであるのか、右画像のストリームであるのかを表す視点情報を生成する
ステップを含む処理をコンピュータに実行させるプログラム。
【請求項９】
複数視点の映像データを所定の符号化方式で符号化して得られた基本ストリームおよび拡張ストリームと、
前記基本ストリームと前記拡張ストリームのうちのいずれが、左画像のストリームであるのか、右画像のストリームであるのかを表す視点情報を含む、前記基本ストリームと前記拡張ストリームの再生を制御する再生制御情報と
が記録された記録媒体。
【請求項１０】
複数視点の映像データを所定の符号化方式で符号化して得られた基本ストリームおよび拡張ストリーム、並びに、前記基本ストリームと前記拡張ストリームのうちのいずれが、左画像のストリームであるのか、右画像のストリームであるのかを表す視点情報が記録された記録媒体から、前記基本ストリーム、前記拡張ストリーム、および前記視点情報を読み出す読出手段と、
前記読出手段により読み出された前記基本ストリームと前記拡張ストリームを復号する復号手段と、
前記読出手段により読み出された前記視点情報に基づいて、前記復号手段により復号された前記基本ストリームと前記拡張ストリームが、左画像のストリームであるのか、右画像のストリームであるのかを識別する識別手段と
を備える再生装置。
【請求項１１】
前記視点情報は、前記記録媒体に記録されている、前記基本ストリームと前記拡張ストリームの再生を制御する再生制御情報に含まれる
請求項１０に記載の再生装置。
【請求項１２】
前記視点情報は、前記基本ストリームと前記拡張ストリームのうちの少なくともいずれかのストリームに含まれる各ピクチャに付加される
請求項１０に記載の再生装置。
【請求項１３】
前記視点情報は、前記記録媒体に記録されている、前記基本ストリームと前記拡張ストリームの伝送の制御に用いられる伝送制御情報に含まれる
請求項１０に記載の再生装置。
【請求項１４】
前記記録媒体には、さらに、二次元画像の再生を制御する情報であることを表す種別情報を含む、前記基本ストリームの再生を制御する第１の再生制御情報、または、三次元画像の再生を制御する情報であることを表す前記種別情報を含む、前記基本ストリームと前記拡張ストリームの再生を制御する第２の再生制御情報が記録される
請求項１０に記載の再生装置。
【請求項１５】
前記第２の再生制御情報の拡張用のフィールドには、前記拡張ストリームの再生に関する情報が設定される
請求項１４に記載の再生装置。
【請求項１６】
再生装置が、
複数視点の映像データを所定の符号化方式で符号化して得られた基本ストリームおよび拡張ストリーム、並びに、前記基本ストリームと前記拡張ストリームのうちのいずれが、左画像のストリームであるのか、右画像のストリームであるのかを表す視点情報が記録された記録媒体から、前記基本ストリーム、前記拡張ストリーム、および前記視点情報を読み出し、
読み出された前記基本ストリームと前記拡張ストリームを復号し、
読み出された前記視点情報に基づいて、復号された前記基本ストリームと前記拡張ストリームが、左画像のストリームであるのか、右画像のストリームであるのかを識別する
ステップを含む再生方法。
【手続補正２】
【補正対象書類名】明細書
【補正対象項目名】発明の名称
【補正方法】変更
【補正の内容】
【発明の名称】情報処理装置、情報処理方法、およびプログラム、記録媒体、並びに、再生装置および再生方法
【手続補正３】
【補正対象書類名】明細書
【補正対象項目名】０００１
【補正方法】変更
【補正の内容】
【０００１】
本発明は、情報処理装置、情報処理方法、およびプログラム、記録媒体、並びに、再生装置および再生方法に関し、特に、複数視点の映像データを所定の符号化方式で符号化して得られた基本ストリームと拡張ストリームのうちのいずれが、左画像のストリームであるのか、右画像のストリームであるのかを再生装置に判断させることができるようにした情報処理装置、情報処理方法、およびプログラム、記録媒体、並びに、再生装置および再生方法に関する。
【手続補正４】
【補正対象書類名】明細書
【補正対象項目名】００１２
【補正方法】変更
【補正の内容】
【００１２】
本発明の第１の側面の情報処理装置は、複数視点の映像データを所定の符号化方式で符号化する符号化手段と、前記符号化手段による符号化によって得られた基本ストリームと拡張ストリームのうちのいずれが、左画像のストリームであるのか、右画像のストリームであるのかを表す視点情報を生成する生成手段を備える。
【手続補正５】
【補正対象書類名】明細書
【補正対象項目名】００１８
【補正方法】変更
【補正の内容】
【００１８】
本発明の第１の側面の情報処理方法は、情報処理装置が、複数視点の映像データを所定の符号化方式で符号化し、符号化によって得られた基本ストリームと拡張ストリームのうちのいずれが、左画像のストリームであるのか、右画像のストリームであるのかを表す視点情報を生成するステップを含む。
【手続補正６】
【補正対象書類名】明細書
【補正対象項目名】００１９
【補正方法】変更
【補正の内容】
【００１９】
本発明の第１の側面のプログラムは、複数視点の映像データを所定の符号化方式で符号化し、符号化によって得られた基本ストリームと拡張ストリームのうちのいずれが、左画像のストリームであるのか、右画像のストリームであるのかを表す視点情報を生成するステップを含む処理をコンピュータに実行させる。
【手続補正７】
【補正対象書類名】明細書
【補正対象項目名】００２０
【補正方法】変更
【補正の内容】
【００２０】
本発明の第１の側面の記録媒体は、複数視点の映像データを所定の符号化方式で符号化して得られた基本ストリームおよび拡張ストリームと、前記基本ストリームと前記拡張ストリームのうちのいずれが、左画像のストリームであるのか、右画像のストリームであるのかを表す視点情報を含む、前記基本ストリームと前記拡張ストリームの再生を制御する再生制御情報とが記録されたものである。
【手続補正８】
【補正対象書類名】明細書
【補正対象項目名】００２１
【補正方法】変更
【補正の内容】
【００２１】
本発明の第１の側面においては、複数視点の映像データが所定の符号化方式で符号化され、符号化によって得られた基本ストリームと拡張ストリームのうちのいずれが、左画像のストリームであるのか、右画像のストリームであるのかを表す視点情報が生成される。
本発明の第２の側面の再生装置は、複数視点の映像データを所定の符号化方式で符号化して得られた基本ストリームおよび拡張ストリーム、並びに、前記基本ストリームと前記拡張ストリームのうちのいずれが、左画像のストリームであるのか、右画像のストリームであるのかを表す視点情報が記録された記録媒体から、前記基本ストリーム、前記拡張ストリーム、および前記視点情報を読み出す読出手段と、前記読出手段により読み出された前記基本ストリームと前記拡張ストリームを復号する復号手段と、前記読出手段により読み出された前記視点情報に基づいて、前記復号手段により復号された前記基本ストリームと前記拡張ストリームが、左画像のストリームであるのか、右画像のストリームであるのかを識別する識別手段とを備える再生装置である。
前記視点情報は、前記記録媒体に記録されている、前記基本ストリームと前記拡張ストリームの再生を制御する再生制御情報に含まれるようにすることができる。
前記視点情報は、前記基本ストリームと前記拡張ストリームのうちの少なくともいずれかのストリームに含まれる各ピクチャに付加されるようにすることができる。
前記視点情報は、前記記録媒体に記録されている、前記基本ストリームと前記拡張ストリームの伝送の制御に用いられる伝送制御情報に含まれるようにすることができる。
前記記録媒体には、さらに、二次元画像の再生を制御する情報であることを表す種別情報を含む、前記基本ストリームの再生を制御する第１の再生制御情報、または、三次元画像の再生を制御する情報であることを表す前記種別情報を含む、前記基本ストリームと前記拡張ストリームの再生を制御する第２の再生制御情報が記録されるようにすることができる。
前記第２の再生制御情報の拡張用のフィールドには、前記拡張ストリームの再生に関する情報が設定されるようにすることができる。
本発明の第２の側面の再生方法は、再生装置が、複数視点の映像データを所定の符号化方式で符号化して得られた基本ストリームおよび拡張ストリーム、並びに、前記基本ストリームと前記拡張ストリームのうちのいずれが、左画像のストリームであるのか、右画像のストリームであるのかを表す視点情報が記録された記録媒体から、前記基本ストリーム、前記拡張ストリーム、および前記視点情報を読み出し、読み出された前記基本ストリームと前記拡張ストリームを復号し、読み出された前記視点情報に基づいて、復号された前記基本ストリームと前記拡張ストリームが、左画像のストリームであるのか、右画像のストリームであるのかを識別するステップを含む。
本発明の第２の側面においては、複数視点の映像データを所定の符号化方式で符号化して得られた基本ストリームおよび拡張ストリーム、並びに、前記基本ストリームと前記拡張ストリームのうちのいずれが、左画像のストリームであるのか、右画像のストリームであるのかを表す視点情報が記録された記録媒体から、前記基本ストリーム、前記拡張ストリーム、および前記視点情報が読み出され、読み出された前記基本ストリームと前記拡張ストリームが復号され、読み出された前記視点情報に基づいて、復号された前記基本ストリームと前記拡張ストリームが、左画像のストリームであるのか、右画像のストリームであるのかが識別される。